(57)【特許請求の範囲】
【請求項１】
両端部が同方向に向けられた第１のフレームと、
両端部が同方向に向けられており且つ当該両端部が前記第１のフレームの両端部に対向配置される第２のフレームと、
前記第１、第２のフレームの両端部のうちの一方の端部同士を連結しており且つ前記第１、第２のフレームの前記一方の端部が各々回動自在に取り付けられた両端部を有する第１の連結部と、
前記第１、第２のフレームの両端部のうちの他方の端部同士を連結しており且つ前記第１、第２のフレームの前記他方の端部が各々回動自在に取り付けられた両端部を有する第２の連結部と、
前記第１、第２の連結部の中間部に懸架されたハンドルと、
上端部が前記第１、第２のフレームに取り付けられた袋体と、を備えており、
前記袋体の前記第１、第２の連結部の並び方向と略直交する方向の両端面の上端部には、一対のポケットが設けられており、
前記ポケットは、ポケット本体と、
このポケット本体の開口を開閉自在になっているフラップと、
前記ポケット本体に設けられた第１の係止部と、
前記フラップに設けられ、当該フラップが前記開口を閉塞した状態で前記第１の係止部に係止される第２の係止部とを有していることを特徴とするバスケット。
【請求項２】
請求項１記載のバスケットにおいて、
前記袋体の下面には、当該袋体が折り畳まれた状態で、前記一対のポケットの前記第２の係止部が係止される一対の第３の係止部が設けられていることを特徴とするバスケット。
【請求項３】
請求項２記載のバスケットにおいて、
前記袋体の下面には、把持可能な把手が設けられていることを特徴とするバスケット。
【請求項４】
請求項２記載のバスケットにおいて、
前記袋体の下面の前記第３の係止部の内側には２つの鋲が設けられていることを特徴とするバスケット。
【請求項５】
請求項４記載のバスケットにおいて、
前記鋲及び／又はフラップが取り替え可能になっていることを特徴とするバスケット。
【請求項６】
両端部が同方向に向けられた第１のフレームと、
両端部が同方向に向けられており且つ当該両端部が前記第１のフレームの両端部に対向配置される第２のフレームと、
前記第１、第２のフレームの両端部のうちの一方の端部同士を連結しており且つ前記第１、第２のフレームの前記一方の端部が各々回動自在に取り付けられた両端部を有する第１の連結部と、
前記第１、第２のフレームの両端部のうちの他方の端部同士を連結しており且つ前記第１、第２のフレームの前記他方の端部が各々回動自在に取り付けられた両端部を有する第２の連結部と、
前記第１、第２の連結部の中間部に懸架されたハンドルと、
上端部が前記第１、第２のフレームに取り付けられた袋体と、
前記袋体を起立状態で補強する４つの補強プレートとを備えており、
前記袋体の前記第１、第２の連結部の並び方向の両端面には、前記補強プレートが各々挿入される一対の略ハ字状のプレート挿入部が設けられていることを特徴とするバスケット。
【発明の詳細な説明】
【技術分野】
【０００１】
本発明はアウトドア等に用いられるバスケットに関する。
【背景技術】
【０００２】
従来のバスケットは、編まれた籠体と、この籠体の上端部に懸架された把手とを備えている（特許文献１参照）。
【０００３】
【特許文献１】特開２００６−１０２２９１号公報
【発明の開示】
【発明が解決しようとする課題】
【０００４】
ところが、前記バスケットは、前記籠体が折り畳めないことから、非使用時において可搬性が悪く且つ収納するスペースが大きくなるという本質的な欠点を有している。
【０００５】
本発明は、上記事情に鑑みて創案されたものであって、その目的とするところは、折り畳み可能な新規なバスケットを提供することにある。
【課題を解決するための手段】
【０００６】
上記課題を解決するために、本発明の第１バスケットは、両端部が同方向に向けられた第１のフレームと、両端部が同方向に向けられており且つ当該両端部が前記第１のフレームの両端部に対向配置される第２のフレームと、前記第１、第２のフレームの両端部のうちの一方の端部同士を連結しており且つ前記第１、第２のフレームの前記一方の端部が各々回動自在に取り付けられた両端部を有する第１の連結部と、前記第１、第２のフレームの両端部のうちの他方の端部同士を連結しており且つ前記第１、第２のフレームの前記他方の端部が各々回動自在に取り付けられた両端部を有する第２の連結部と、前記第１、第２の連結部の中間部に懸架されたハンドルと、上端部が前記第１、第２のフレームに取り付けられた袋体と、を備えている。前記袋体の前記第１、第２の連結部の並び方向と略直交する方向の両端面の上端部には、一対のポケットが設けられている。前記ポケットは、ポケット本体と、このポケット本体の開口を開閉自在になっているフラップと、前記ポケット本体に設けられた第１の係止部と、前記フラップに設けられ、当該フラップが前記開口を閉塞した状態で前記第１の係止部に係止される第２の係止部とを有している。
【０００７】
このようなバスケットによる場合、袋体を折り畳み、第１、第２のフレームを互いに近づく方向に回動させることにより、コンパクトに折り畳むことができる。よって、従来例に比べて非使用時の可搬性が良く且つ収納スペースも小さくなる。
【０００８】
また、第１、第２のフレームを互いに近づく方向に回動させ、ハンドルの両側に位置させることができるので、ハンドルを備えていても、コンパクトに折り畳むことができる。
【００１０】
袋体の下面には、当該袋体が折り畳まれた状態で、一対のポケットの第２の係止部が係止される一対の第３の係止部が設けられていることが好ましい。この場合、一対のポケットの第２の係止部が一対の第３の係止部に係止されることにより、袋体が折り畳まれた状態で、維持されるので、非使用時の可搬性が向上する。
【００１１】
袋体の下面には把持可能な把手が設けられていることが好ましい。この場合、バスケットを折り畳んだ状態で、前記把手を把持して持ち運ぶことができる。よって、この点で、非使用時の可搬性が向上する。
【００１２】
袋体の下面の前記第３の係止部の内側には２つの鋲が設けられていることが好ましい。この場合、第２の係止部が一対の第３の係止部に係止された状態で、２つの鋲とフラップとが顔のように見える。この点で、デザイン性に富む。
【００１３】
前記鋲及び／又はフラップが取り替え可能になっている場合、当該鋲及びフラップで表される顔の表情を変えることができる。
【００１４】
本発明の第２バスケットは、両端部が同方向に向けられた第１のフレームと、両端部が同方向に向けられており且つ当該両端部が前記第１のフレームの両端部に対向配置される第２のフレームと、前記第１、第２のフレームの両端部のうちの一方の端部同士を連結しており且つ前記第１、第２のフレームの前記一方の端部が各々回動自在に取り付けられた両端部を有する第１の連結部と、前記第１、第２のフレームの両端部のうちの他方の端部同士を連結しており且つ前記第１、第２のフレームの前記他方の端部が各々回動自在に取り付けられた両端部を有する第２の連結部と、前記第１、第２の連結部の中間部に懸架されたハンドルと、上端部が前記第１、第２のフレームに取り付けられた袋体と、前記袋体を起立状態で補強する４つの補強プレートとを備えている。前記袋体の前記第１、第２の連結部の並び方向の両端面には、前記補強プレートが各々挿入される一対の略ハ字状のプレート挿入部が設けられている。このように補強プレートを袋体に略ハ字状に装着することにより、袋体が起立状態で維持される。
【発明を実施するための最良の形態】
【００１５】
以下、本発明の実施の形態に係るバスケットを図面を参照しつつ説明する。図１は本発明の実施の形態に係るバスケットの正面図、図２は同バスケットの平面図、図３は同バスケットの底面図、図４は同バスケットの側面図、図５は同バスケットの折り畳んだ状態を示す斜視図である。
【００１６】
ここに掲げるバスケットは、両端部が同方向に向けられており且つ両端部同士が対向配置される第１、第２のフレーム１００ａ、１００ｂと、第１、第２のフレーム１００ａ、１００ｂの端部同士を連結する第１、第２の連結部２００ａ、２００ｂと、第１、第２の連結部２００ａ、２００ｂに懸架される一対のハンドル３００と、上端部が第１、第２のフレーム１００ａ、１００ｂに取り付けられる袋体４００と、この袋体４００を起立状態で補強する４つの補強プレート５００（図示２つ）とを備えている。以下、各部を詳しく説明する。
【００１７】
第１、第２のフレーム１００ａ、１００ｂは略Ｕ字状に湾曲した扁平な棒状体である。
【００１８】
第１、第２の連結部２００ａ、２００ｂは、正面視略凸字状の２つの板部が下端部同士で一体化された樹脂成型品である。
【００１９】
第１の連結部２００ａの一端部の２つの板部の間には、第１のフレーム１００ａの一端部がボルト及びナットにより軸支される。第１の連結部２００ａの他端部の２つの板部の間には、第２のフレーム１００ｂの一端部がボルト及びナットにより軸支される。一方、第２の連結部２００ｂの一端部の２つの板部の間には、第１のフレーム１００ａの他端部がボルト及びナットにより軸支される。第２の連結部２００ｂの他端部の２つの板部の間には、第２のフレーム１００ｂの他端部がボルト及びナットにより軸支される。これにより、第１、第２のフレーム１００ａ、１００ｂは、図１乃至図４に示すように、互いに水平に位置する展開位置から、図５に示すように、ハンドル３００の両側に沿う折畳位置にかけて回動自在になっている。
【００２０】
第１の連結部２００ａの中間部の上端部の２つの板部の間には、一対のハンドル３００の一端部がボルト及びナットにより各々軸支されている。一方、第２の連結部２００ｂの中間部の上端部の２つの板部の間には、一対のハンドル３００の他端部がボルト及びナットにより各々軸支されている。これにより、一対のハンドル３００が、図１に示すように、互いに略平行に位置する垂直位置から、展開位置に位置した第１、第２のフレーム１００ａ、１００ｂに沿う水平位置にかけて回動自在になっている。
【００２１】
各ハンドル３００は略Ｕ字状に湾曲した扁平な棒状体である。このハンドル３００の頂部には、樹脂製の円筒状のグリップ３１０が外嵌されている。
【００２２】
袋体４００は、楕円形の底部４１０と、この底部４１０上に立設された筒状の外壁部４２０と、底部４１０の外縁部に内蔵された略Ｕ字状の一対の枠体４３０と、外壁部４２０の長さ方向の両端面（即ち、第１、第２の連結部２００ａ、２００ｂの並び方向と略直交する方向）に設けられた一対のポケット４４０と、外壁部４２０の幅方向の両端面（即ち、第１、第２の連結部２００ａ、２００ｂの並び方向）に設けられた略ハ字状の第１、第２のプレート挿入部４５０と、外壁部４２０の上縁部に間隔を空けて取り付けられた６つの取付ベルト４６０と、底部４１０の中央部に前記幅方向に向けて懸架された把手４７０と、底部４１０の把手４７０の両隣に設けられた略円柱状の４つの鋲４８０と、底部４１０の両端部に設けられた面ファスナである第３の係止部４９０とを有している。
【００２３】
底部４１０は布体である。この底部４１０の外縁部は筒状になっており、一対の枠体４３０が端部同士を対向させた状態で収容されている。
【００２４】
外壁部４２０も底部４１０と同様の布体である。
【００２５】
第１、第２のプレート挿入部４５０は外壁部４２０に縫いつけられた一対のポケットである。
【００２６】
取付ベルト４６０は基端部が外壁部４２０の上縁部に縫いつけられたメッシュ状の矩形の帯体である。この取付ベルト４６０の先端部には図示しない面ファスナが設けられている。即ち、取付ベルト４６０が第１、第２のフレーム１００ａ、１００ｂに巻き付けられ、前記面ファスナが当該取付ベルト４６０自身に接着することにより、当該第１、第２のフレーム１００ａ、１００ｂに取り付けられるようになっている。
【００２７】
ポケット４４０は、図４に示すように、ポケット本体４４１と、このポケット本体４４１の開口を開閉するフラップ４４２とを有する。
【００２８】
ポケット本体４４１は、下端部及び両端部が外壁部４２０に縫いつけられた布体であって、上方に開口を有している。このポケット本体４４１の上端部の外面には面ファスナである第１の係止部４４１ａが設けられている。
【００２９】
フラップ４４２は、外壁部４２０のポケット本体４４１の上方に上端部が縫いつけられた矩形状の布体である。このフラップ４４２の下端部の内面には、第１の係止部４４１ａに係止される面ファスナである第２の係止部４４２ａが設けられている。この第２の係止部４４２ａは、後述するように袋体４００が折り畳まれた状態で第３の係止部４３０に係止されるようになっている。
【００３０】
把手４７０は両端部が底部４１０に縫いつけられた長板状の帯体である。この把手４７０は中央部が下方に向けて撓み可能になっている。即ち、把手４７０の中央部が把持可能になっている。
【００３１】
４つの補強プレート５００は、第１、第２のプレート挿入部４５０の一対のポケットに各々挿入される長尺状の樹脂板である。
【００３２】
このような構成のバスケットは次のように折り畳まれる。まず、４つの補強プレート５００を第１、第２のプレート挿入部４５０の一対のポケットから取り出す。その後、一対のポケット４４０のフラップ４４２の第２の係止部４４２ａをポケット本体４４１の第１の係止部４４１ａから取り外し、フラップ４４２を開状態にする。
【００３３】
この状態で、袋体４００を、その底部４１０が第１、第２のフレーム１００ａ、１００ｂと略同一平面上に位置するように折り畳む。これにより、一対の枠体４３０が第１、第２のフレーム１００ａ、１００ｂの内側に位置する。
【００３４】
その後、第１、第２のフレーム１００ａ、１００ｂを展開位置から折畳位置にかけて回動させる。これと共に、一対の枠体４３０が第１、第２のフレーム１００ａ、１００ｂと略平行に移動する。これにより、袋体４００が半分に折り畳まれる。
【００３５】
その後、一対のポケット４４０のフラップ４４２の第２の係止部４４２ａを底部４１０の一対の第３の係止部４９０に各々取り付ける。このようにして前記バスケットが折り畳まれる。
【００３６】
この折り畳み状態で、把手４７０の中央部を把持して前記バスケットを持ち運ぶことができる。このとき、図５に示すように、折り畳まれた底部４１０の下面の半分上の２つの鋲４８０及びフラップ４４２が各々顔のように見える。
【００３７】
この折り畳み状態のバスケットを展開するときには、一対のポケット４４０のフラップ４４２の第２の係止部４４２ａを底部４１０の第３の係止部４９０から取り外す。
【００３８】
その後、第１、第２のフレーム１００ａ、１００ｂを折畳位置から展開位置にかけて回動させ、一対のハンドル３００の両側に位置させる。これと共に、一対の枠体４３０が第１、第２のフレーム１００ａ、１００ｂと略平行に移動する。そして、袋体４００の底部４１０を下方に移動させ、当該袋体４００の外壁部４２０を起立させる。
【００３９】
その後、４つの補強プレート５００を第１、第２のプレート挿入部４５０の一対のポケットに挿入する。そして、フラップ４４２の第２の係止部４４２ａをポケット本体４４１の第１の係止部４４１ａに取り付ける。このようにして前記バスケットが展開される。
【００４０】
このようなバスケットによる場合、袋体４００を折り畳み、第１、第２のフレーム１００ａ、１００ｂを回動させるだけで、コンパクトに折り畳むことができる。よって、従来例に比べて、非使用時の可搬性が良く且つ収納スペースを低減することができる。
【００４１】
しかも、一対のポケット４４０のフラップ４４２の第２の係止部４４２ａを袋体４００の底部４１０の第３の係止部４９０に取り付けることにより、袋体４００を折り畳んだ状態で維持することができるので、この点でも、非使用時の可搬性を向上させることができる。
【００４２】
なお、上記バスケットは、両端部が同方向に向けられており且つ当該両端部同士が対向配置される第１、第２のフレームと、第１、第２のフレームの端部同士を連結する第１、第２の連結部と、上端部が第１、第２のフレームに取り付けられる袋体と、を備えており、第１、第２のフレームの端部が第１、第２の連結部の両端部に各々回動自在に取り付けられている限り任意に設計変更することが可能である。
【００４３】
第１、第２のフレーム１００ａ、１００ｂについては、略Ｕ字状であるとしたが、両端部が同方向に向けられた棒状体又は板状体である限り任意に設計変更可能である。例えば、第１、第２のフレーム１００ａ、１００ｂを略凹字状や略Ｖ字状とすることができる。
【００４４】
第１、第２の連結部２００ａ、２００ｂの形状については、両端部に前記第１、第２のフレームが軸支され得るものである限りどのようなものを用いても構わない。即ち、前記第１、第２のフレームを軸支するピンが取り付けられる単なる矩形状の板体であっても構わない。
【００４５】
ハンドル３００については、第１、第２の連結部２００ａ、２００ｂに懸架され、把持可能なもので、ある限り任意に設計変更可能である。よって、前記ハンドルは、回動自在であるとしたが、固定されていても良い。このようにハンドルを第１、第２の連結部に固定する場合には、ハンドルは一つであることが好ましい。また、前記ハンドルを第１、第２の連結部に着脱自在に取り付けるようにしても良い。前記ハンドルを着脱自在する場合には、第１、第２の連結部に代えて、前記第１、第２のフレームに取り付けるようにしても構わない。前記ハンドルの個数は任意に設計変更可能である。
【００４６】
袋体４００については、底部を有する筒状体であり且つ折り畳むことができる布、ビニール等のフレキシブルな素材で構成されている限り任意に設計変更可能である。
【００４７】
鋲４８０については、略円柱体であるとしたが、これに限定されるものではない。例えば、１／２円弧状、１／４円弧状又は棒状とすることもできる。
【００４８】
ポケット本体４４１の形状については任意に設計変更可能である。例えば、半円形や三角形とすることができる。フラップ４４２の形状についても同様に任意に設計変更可能である。
【００４９】
このように前記鋲及びフラップの形状を変更することにより、底部４１０の下面の略半分に表される顔の表情を変えることができる。特に、前記鋲及び／又はフラップを着脱自在とし、取り替え可能にすることにより、前記表情を選択的に変えることが可能になる。
【００５０】
第１、第２、第３の係止部４４１ａ、４４２ａ、４９０については、面ファスナであるとしたが、これに限定されるものではない。例えば、前記第１、第３の係止部をボタンや係止フックとし、第２の係止部を前記ボタンや係止フックが係止される係止孔とすることもできる。その逆にすることも勿論可能である。
【００５１】
取付ベルト４６０については、メッシュ状であるとしたが、これに限定されるものではない。また、前記取付ベルトは上記係止部と同様にボタンや係止フックなどを用いて上記フレームに取り付ける容易しても構わない。なお、前記取付ベルトは着脱自在である必要はなく、前記フレームに固定されているものであっても良い。前記取付ベルトの形状及び個数は任意に設計変更可能である。
【００５２】
把手４７０については、袋体４００の下面に設けられており且つ把持可能なものである限り任意に設計変更可能である。
【００５３】
補強プレート５００の形状については、袋体４００を起立状態で維持し得るものである限り任意に設計変更可能である。プレート挿入部４５０については、補強プレート５００の形状に合わせて任意に設計変更可能である。
【００５４】
なお、上記バスケットは、袋体４００の開口を塞ぐカバーを備えるようにしても構わない。
【図面の簡単な説明】
【００５５】
【図１】本発明の実施の形態に係るバスケットの正面図である。
【図２】同バスケットの平面図である。
【図３】同バスケットの底面図である。
【図４】同バスケットの側面図である。
【図５】同バスケットの折り畳んだ状態を示す斜視図である。
【符号の説明】
【００５６】
１００ａ  １００ｂ  第１、第２のフレーム
２００ａ、２００ｂ  第１、第２の連結部
３００              ハンドル
４００              袋体
４４０              ポケット
４４１              ポケット本体
４４１ａ            第１の係止部
４４２              フラップ
４４２ａ            第２の係止部
４５０              プレート挿入部
４６０              取付ベルト
４７０              把手
４８０              鋲
４９０              第３の係止部
５００              補強プレート
【図１】
0005111013.tif 000002
【図２】
0005111013.tif 000003
【図３】
0005111013.tif 000004
【図４】
0005111013.tif 000005
【図５】
0005111013.tif 000006